(57)【要約】【課題】  所定の機能が実行された用紙と実行されていない用紙との仕分け作業の煩雑さを解消するとともに、機能の実行の事実確認を後日においても容易に行うことができる。【解決手段】  用紙を取り込み筐体１０、２０の内部を通過させて排出する用紙搬送手段１２、２２と、筐体１０、２０の内部を通過させる間に用紙から記載内容を読み取る読取手段１５と、読み取られた記載内容について所定の機能を実行する機能実行手段５６と、所定の機能が実行されたことを示す実行済印を用紙に付すスタンプ手段４０（書込ヘッド２８）を備えた。【選択図】    図２
2008252165.tif 000002
【特許請求の範囲】
【請求項１】
用紙を取り込み筐体の内部を通過させて排出する用紙搬送手段と、前記筐体の内部を通過させる間に前記用紙から記載内容を読み取る読取手段と、読み取られた前記記載内容について所定の機能を実行する機能実行手段とを備えたノート型パソコンであって、
前記所定の機能が実行されたことを示す実行済印を前記用紙に付すスタンプ手段を備えた
ことを特徴とするノート型パソコン。
【請求項２】
前記所定の機能が、スキャナ機能、電子メール機能、ファクシミリ機能、コピー機能、ＰＤＦ変換機能のうちの一又は二以上を含む
ことを特徴とする請求項１記載のノート型パソコン。
【請求項３】
前記スタンプ手段が、物理的に前記実行済印を付す物理スタンプ、及び／又は、電子ペーパへの書き込みにより前記実行済印を付す電子スタンプを含む
ことを特徴とする請求項１又は２記載のノート型パソコン。
【請求項４】
前記実行済印の印文が彫刻された一又は二以上の印章部材と、
各印章部材の前記印文を特定する印文特定手段と、
特定された前記印文を表示する表示手段と、
表示された一又は二以上の前記印文の中から前記用紙に付する印文を選択する印文選択手段と、
この印文選択手段で選択された印文が彫刻されている印章部材を用いて前記用紙に実行済印を付する押印制御手段とを備えた
ことを特徴とする請求項１〜３のいずれかに記載のノート型パソコン。
【請求項５】
前記機能実行手段が実行可能な機能と前記印文とを対応付けた機能−実行済印対応テーブルを記憶する記憶手段と、
前記機能−実行済印対応テーブルを参照して、実行された機能に対応する印文を選択するスタンプ選択手段とを有し、
前記スタンプ手段が、複数備えられ、
各スタンプ手段が、異なる印文が彫刻された印章部材をそれぞれ有し、
前記押印制御手段が、前記スタンプ選択手段で選択された印文を押印可能なスタンプ手段を用いて前記用紙に実行済印を付する
ことを特徴とする請求項４記載のノート型パソコン。
【請求項６】
前記用紙における実行済印の押印位置を特定する押印位置特定手段を備え、
前記押印制御手段が、前記押印位置特定手段で特定された押印位置に配設されている印章を用いて用紙に実行済印を付する
ことを特徴とする請求項４又は５記載のノート型パソコン。
【請求項７】
用紙を取り込み筐体の内部を通過させて排出する用紙搬送処理と、前記筐体の内部を通過させる間に前記用紙から記載内容を読み取る読取処理と、読み取られた前記記載内容について所定の機能を実行する機能実行処理とを有したノート型パソコンにおける実行済印押印方法であって、
前記所定の機能が実行されたことを示す実行済印を前記用紙に付すスタンプ処理を有した
ことを特徴とするノート型パソコンにおける実行済印押印方法。
【請求項８】
用紙を取り込み筐体の内部を通過させて排出する用紙搬送処理と、前記筐体の内部を通過させる間に前記用紙から記載内容を読み取る読取処理と、読み取られた前記記載内容について所定の機能を実行する機能実行処理とをノート型パソコンに実行させる実行済印押印プログラムであって、
前記所定の機能が実行されたことを示す実行済印を前記用紙に付すスタンプ処理を前記ノート型パソコンに実行させる
ことを特徴とする実行済印押印プログラム。
【発明の詳細な説明】
【技術分野】
【０００１】
本発明は、携帯可能なノート型パソコン、このノート型パソコンにおける実行済印押印方法及び実行済印押印プログラムに関し、特に、当該ノート型パソコンの内部において用紙を通過させる搬送路を備えるとともに、搬送中の用紙から記載内容を読み取るスキャナ機能、この読み取った記載内容をＦＡＸ送信するＦＡＸ機能、その記載内容をメール送信する電子メール機能等の各種機能を備えて、それら機能の実行が完了したことをユーザに明確に伝えるのに好適なノート型パソコン、このノート型パソコンにおける実行済印押印方法及び実行済印押印プログラムに関する。
【背景技術】
【０００２】
近年、パーソナルコンピュータ（ＰＣ、パソコン）は、職場や家庭への普及が目覚しく、利用者も拡大している。また、多様なニーズに応えられるように種々の形状や機能を備えたものが市販されている。中でも、ノート型パソコンは、ディスクトップ型のパソコンと同様の機能を有しながら、携帯性を重視した仕様となっており、その利便性から利用者も多い。
【０００３】
ところで、ノート型パソコンに関しては、本願出願人が、これまでにも種々の提案を行っている。例えば、ノート型パソコンの内部において用紙を通過させる搬送路を備えるとともに、搬送中の用紙から記載内容を読み取るスキャナ機能や、この読み取られた記載内容を表示する表示部、搬送中の白紙の用紙に任意の事項を印字する印字ヘッドなどを備えたノート型パソコンの技術を提案した（例えば、特許文献１参照。）。
また、電子メール機能やＦＡＸ機能を搭載したものや、電子ペーパに対応したものについても提案した（例えば、特許文献２、３参照。）。これらにより、ノート型パソコンの利便性、機能性をさらに高めることができる。
【特許文献１】特開２００５−０１８３６４号公報
【特許文献２】特開２００５−１００２３８号公報
【特許文献３】特開２００６−１１９９０９号公報
【発明の開示】
【発明が解決しようとする課題】
【０００４】
しかしながら、従来のノート型パソコンにおいては、次のような課題があった。
例えば、スキャナ機能を搭載したノート型パソコンを用いて用紙の記載内容をデータ化し保存する場合、用紙の枚数が多いと、スキャニングを完了した用紙と完了していない用紙とを仕分ける作業が煩雑となっていた。
【０００５】
また、スキャンした記載内容をＦＡＸ送信又はメール送信し、数日後に、その記載内容について本当にＦＡＸ送信又はメール送信したかどうか確認したい場合は、ノート型パソコンを立ち上げて、送信データを一つ一つチェックしていかなければならないため、その確認作業が煩雑となっていた。
しかも、従来のＦＡＸ機能は、用紙から読み取った記載内容を一度ＦＡＸ送信すると、その記載内容を消去していた。このため、後日になってＦＡＸ送信の事実を確認することは困難であった。
【０００６】
本発明は、上記の事情にかんがみなされたものであり、スキャナ機能により既に記載内容が読み取られた用紙とまだ読み取られていない用紙との仕分け作業の煩雑さを解消するとともに、ＦＡＸ送信やメール送信の事実の確認を後日においても容易に行うことができるノート型パソコン、このノート型パソコンにおける実行済印押印方法及び実行済印押印プログラムの提供を目的とする。
【課題を解決するための手段】
【０００７】
この目的を達成するため、本発明のノート型パソコンは、用紙を取り込み筐体の内部を通過させて排出する用紙搬送手段と、筐体の内部を通過させる間に用紙から記載内容を読み取る読取手段と、読み取られた記載内容について所定の機能を実行する機能実行手段とを備えたノート型パソコンであって、所定の機能が実行されたことを示す実行済印を用紙に付すスタンプ手段を備えた構成としてある。
【０００８】
ノート型パソコンをこのような構成とすると、所定の機能が実行されたことを示す実行済印を用紙に付すことができる。このため、その用紙の記載内容について、既に所定の機能が実行されたか否かが視覚的に明確となる。スキャナ機能により既に記載内容が読み取られた用紙とまだ読み取られていない用紙との仕分け作業を容易に行うことができ、その煩雑さを解消できる。
しかも、その実行済印は半永久的に残るため、ＦＡＸ送信やメール送信の事実の確認を後日においても容易に行うことができる。
【０００９】
また、本発明のノート型パソコンは、所定の機能を、スキャナ機能、電子メール機能、ファクシミリ機能、コピー機能、ＰＤＦ変換機能のうちの一又は二以上を含む構成とすることができる。
ノート型パソコンをこのような構成とすれば、スキャナ機能や電子メール機能など、ノート型パソコンが備える様々な機能について、実行済印を付すことができる。これにより、どの機能を実行した場合でも、その実行の完了を視覚的に明確にすることができる。
【００１０】
また、本発明のノート型パソコンは、スタンプ手段を、物理的に実行済印を付す物理スタンプ、及び／又は、電子ペーパへの書き込みにより実行済印を付す電子スタンプを含む構成とすることができる。
ノート型パソコンをこのような構成とすると、紙製の用紙の場合には物理スタンプを用いて実行済印を付すことができ、電子ペーパの場合には電子スタンプを用いて実行済印を付すことができる。このように、用紙の種類が紙製であっても、また電子ペーパであっても、実行済印を付すことができる。
なお、物理的なスタンプとは、例えば、印章部材のように、実行済印が印面に彫刻されて、この印面にインクを付着しておき、この印面と用紙とを接触させてそのインクを付着させることにより、実行済印を押印するものをいう。
【００１１】
また、本発明のノート型パソコンは、実行済印の印文が彫刻された一又は二以上の印章部材と、各印章部材の印文を特定する印文特定手段と、特定された印文を表示する表示手段と、表示された一又は二以上の印文の中から用紙に付する印文を選択する印文選択手段と、この印文選択手段で選択された印文が彫刻されている印章部材を用いて用紙に実行済印を付する押印制御手段とを備えた構成とすることができる。
ノート型パソコンをこのような構成とすれば、複数の実行済印の中からユーザが任意の印文を選択することができ、この選択された印文を実行済印として用紙に付することができる。
【００１２】
また、本発明のノート型パソコンは、機能実行手段が実行可能な機能と印文とを対応付けた機能−実行済印対応テーブルを記憶する記憶手段と、機能−実行済印対応テーブルを参照して、実行された機能に対応する印文を選択するスタンプ選択手段とを有し、スタンプ手段が、複数備えられ、各スタンプ手段が、異なる印文が彫刻された印章部材をそれぞれ有し、押印制御手段が、スタンプ選択手段で選択された印文を押印可能なスタンプ手段を用いて用紙に実行済印を付する構成とすることができる。
ノート型パソコンをこのような構成とすると、ある機能が実行されたときに、この機能に対応付けられた実行済印を付することができる。これにより、その付された実行済印によって、実行された機能を特定できる。
【００１３】
また、本発明のノート型パソコンは、用紙における実行済印の押印位置を特定する押印位置特定手段を備え、押印制御手段が、押印位置特定手段で特定された押印位置に配設されている印章を用いて用紙に実行済印を付する構成とすることができる。
ノート型パソコンをこのような構成とすれば、実行済印を押印する用紙上の位置をユーザが選択できる。
【００１４】
また、本発明のノート型パソコンにおける実行済印押印方法は、用紙を取り込み筐体の内部を通過させて排出する用紙搬送処理と、筐体の内部を通過させる間に用紙から記載内容を読み取る読取処理と、読み取られた記載内容について所定の機能を実行する機能実行処理とを有したノート型パソコンにおける実行済印押印方法であって、所定の機能が実行されたことを示す実行済印を用紙に付すスタンプ処理を有した方法としてある。
本発明は、このような方法によっても実現できる。
【００１５】
また、本発明の実行済印押印プログラムは、用紙を取り込み筐体の内部を通過させて排出する用紙搬送処理と、筐体の内部を通過させる間に用紙から記載内容を読み取る読取処理と、読み取られた記載内容について所定の機能を実行する機能実行処理とをノート型パソコンに実行させる実行済印押印プログラムであって、所定の機能が実行されたことを示す実行済印を用紙に付すスタンプ処理をノート型パソコンに実行させる方法としてある。
本発明は、このようなプログラムによっても実現できる。
【発明の効果】
【００１６】
以上のように、本発明によれば、所定の機能が実行されたことを示す実行済印を用紙に付すことができる。このため、その用紙の記載内容について、既に所定の機能が実行されたか否かが視覚的に明確となる。スキャナ機能により既に記載内容が読み取られた用紙とまだ読み取られていない用紙との仕分け作業を容易に行うことができ、その煩雑さを解消できる。
しかも、その実行済印は半永久的に残るため、ＦＡＸ送信やメール送信の事実の確認を後日においても容易に行うことができる。
【発明を実施するための最良の形態】
【００１７】
以下、本発明に係るノート型パソコン、このノート型パソコンにおける実行済印押印方法及び実行済印押印プログラムの好ましい実施形態について、図面を参照して説明する。
【００１８】
［第一実施形態］
まず、本発明のノート型パソコンの第一の実施形態について、図１、図２を参照して説明する。
図１は、本実施形態のノート型パソコンの外観構成を示す全体斜視図、図２は、本実施形態のノート型パソコンの内部構造を示す側面図である。
【００１９】
図１及び図２に示すように、ノート型パソコン１ａは、可動筐体部１０ａと、固定筐体部２０ａと、ヒンジ部３０とを備えている。
ここで、可動筐体部（第一の筐体部）１０ａは、表示部１１と、第一の搬送路１２と、搬送ローラ１３−１，１３−２と、給紙検知センサ１４と、読取センサ１５とを有している。
表示部（表示手段）１１は、ＬＣＤ（液晶ディスプレイ），ＣＬＴ（ブラウン管），プラズマディスプレイなどのいずれか一以上で構成でき、ユーザインタフェイス（例えば、キーボード２１（後述）等）で入力された文字等，ユーザインタフェイスの操作にもとづいて選ばれた画像，映像等を表示する。また、表示部１１は、読取センサ１５で読み取られた用紙（原稿）の記載事項を画像として表示することもできる。
【００２０】
第一の搬送路１２は、図３に示すように、対向配置した上板１２−１及び下板１２−２と、用紙が挿入される挿入口１２−３とを有している。
なお、この第一の搬送路１２及び、後述する第二の搬送路２２によって搬送される用紙としては、例えば、通常の白紙の用紙、既に印字された用紙、電子ペーパなどがある。
【００２１】
搬送ローラ１３−１，１３−２は、第一の搬送路１２における所定の位置に、用紙を挟持可能に配置されている。そして、この搬送ローラ１３−１，１３−２が回転することにより、可動筐体部１０の上方の挿入口１２ｃで挿入された用紙が、第一の搬送路１２の内部を通って、可動筐体部１０の下方へ搬送される。
なお、用紙が挿入口１２−３から第一の搬送路１２の内部を通って可動筐体部１０の下方へ搬送されるときの用紙の搬送方向を「給紙方向Ａ」とする。
【００２２】
給紙検知センサ１４は、挿入された用紙を検知すると検知信号を出力する。この検知信号は、搬送ローラ１３−１，１３−２の回転駆動や、読取センサ１５の読取駆動等のトリガ信号として使用される。
この給紙検知センサ１４には、用紙が差し掛かったときに、その用紙を検知できる光センサなどを用いることができる。
【００２３】
読取センサ（スキャナ手段）１５は、ＣＣＤ（電荷結合素子）等の撮像素子からなり、挿入された用紙に手書き又は印字されている文字や画像等を読み取る。
この読取センサ１５で読み取られた用紙の記載事項は、制御手段５０ａ（後述）へ送られて所定の処理がなされる。
【００２４】
また、第一の搬送路１２の上板１２−１,下板１２−２には、例えば、Ａ４用紙，Ａ５用紙，Ａ６用紙といった用紙サイズに応じて位置決めし、安定して搬送する機能が設けられている。
具体的には、図４（ｉ）,（ii）に示すように、第一の搬送路１２の上板１２−１,下板１２−２に、ガイド棒挿入穴１６が所定数（本実施形態においては、ガイド棒挿入穴１６−１，１６−２，１６−３の３ヶ所）形成されている。
これらガイド棒挿入穴１６−１，１６−２，１６−３のそれぞれには、図５に示す断面形状矩形の細長い設定ガイド棒１７が挿入固定される。
【００２５】
即ち、設定ガイド棒１７を、左端のガイド棒挿入穴１６−１に挿入（一時固定）した場合には、例えば、Ａ４用紙の位置決めガイドとなり、真中のガイド棒挿入穴１６−２に挿入した場合にはＡ５用紙の位置決めになり、同様に右端のガイド棒挿入穴１６−３の場合にはＡ６用紙の位置決めとなる。
【００２６】
固定筐体部（第二の筐体部）２０は、キーボード２１と、第二の搬送路２２と、搬送ローラ２３−１，２３−２，２３−３と、印字ヘッド２４と、排紙検知センサ２５と、スタンプユニット４０とを有している。
キーボード２１は、文字・数字・記号等の入力が行われるユーザインタフェイスである。
【００２７】
第二の搬送路２２は、図３に示すように、対向配置された上板２２−１及び下板２２−２と、用紙を固定筐体部２０の前側面から排出する排出口２２−３とを有しており、第一の搬送路１２を通って搬送されてきた用紙を、搬送ローラ２３−１，２３−２，２３−３の回転により、排出口２２−３へ向けてスムーズに搬送されるようになっている。
即ち、既に所定の内容が印字等された用紙は、挿入口１２−３に挿入されると、記載事項が読取センサ１５で読み取られ、第一及び第二の搬送路１２，２２を通って排出口２２−３から排出される。一方、このノート型パソコン１により印字しようとする白紙の用紙は、印字ヘッド２４で印刷された後、排出口２２−３から排出される。
【００２８】
また、第二の搬送路２２には、第一の搬送路１２で搬送されてきた用紙を受け入れる受入口２２−４付近に、フラッパー２２−５が配設されている。
フラッパー２２−５は、第一の搬送路１２から送られてきた用紙が第二の搬送路２２の受入口を通過するように開放したり、逆にその用紙が通過しないように遮断したりするためのものである。
このフラッパー２２−５による開放・遮断の操作は、図６に示すように、切替操作部２６を操作することにより行うことができる。
なお、このフラッパー２２−５の構造については、特開２００５−０１８３６４号公報「ノート型パソコン」に開示されているため、ここでの説明は省略する。
【００２９】
搬送ローラ２３−１，２３−２，２３−３は、第二の搬送路２２における所定の位置に、用紙を挟持可能に配置されている。
これら搬送ローラ２３−１，２３−２，２３−３が回転することにより、固定筐体部２０の受入口２２−４に進入してきた用紙が、第二の搬送路２２の内部を通って、排出口２２−３へ搬送される。
印字ヘッド２４は、インクジェット式あるいは感熱式等により用紙に印字するための印字ヘッドである。
排紙検知センサ２５は、用紙の終端の通過により、排紙が完了したことを検知する。
【００３０】
スタンプユニット４０については、後記の（スタンプユニット）において詳述する。
また、ノート型パソコン１は、制御手段５０ａを備えている。この制御手段５０ａの構成については、後記の（制御手段）において詳述する。
【００３１】
（スタンプユニット）
次に、スタンプユニットの構成について説明する。
スタンプユニット（押印手段）４０ａは、インクの付着により用紙に実行済印を付すための機構である（物理スタンプ）。
なお、スタンプユニットには、物理スタンプ４０ａの他、電子ペーパへの書き込みにより実行済印を付す電子スタンプがある。この電子スタンプについては、後記の第五実施形態において詳述する。
【００３２】
物理スタンプ４０ａは、図７、図８に示すように、駆動手段４１ａと、駆動伝達部材４２ａと、印章支持部材４３ａと、印章部材４４ａと、形状検知センサ４５ａと、印影特定手段４６ａ（図２１参照）とを有している。
駆動手段４１ａは、例えばソレノイドを用いることができ、駆動伝達部材４２ａや印章支持部材４３ａ、印章部材４４ａに所定の動作をさせるために動力を付与する。具体的には、例えば、図７、図８に示すように、駆動軸４１ａ−１を前後に動かすことで、この前後移動の動力を駆動伝達部材４２ａ等に与える。
【００３３】
駆動伝達部材４２ａは、印章支持部材４３ａや印章部材４４ａが所定の動作をするように、駆動手段４１ａからの動力をそれら印章支持部材４３ａや印章部材４４ａに伝える部材である。具体的には、駆動伝達部材４２ａは、駆動手段４１ａの駆動軸４１ａ−１に係合した係合部材４２ａ−１と、この係合部材４２ａ−１に接続されるとともに、係合部材４２ａ−１の回動運動の支点となる支点部材４２ａ−２と、この支点部材４２ａ−２に接続されて、支点部材４２ａ−２を中心に回動する従節部材４２ａ−３とを有している。つまり、支点部材４２ａ−２には、係合部材４２ａ−１と従節部材４２ａ−３とが所定の角度を有してそれぞれ接続されており、係合部材４２ａ−１が駆動手段４１ａから動力（前後動作）を受けると、これに従って従節部材４２ａ−３が回動する。
【００３４】
なお、図７は、駆動手段４１ａの駆動軸４１ａ−１が引かれることで、用紙に実行済印が付されている様子を示す。一方、図８は、駆動手段４１ａの駆動軸４１ａ−１が押し出されることで、用紙から印章部材４４ａが離れている様子を示す。
印章支持部材４３ａは、円筒形状に形成されており、この円筒の内側空間部分に印章部材４４ａの頭部が嵌合するようになっている。
【００３５】
印章部材４４ａは、所定の機能が実行されたことを示すマークが底面（印面４４ａ−１）に彫刻されており、内部のインクタンク（図示せず）から印面４４ａ−１にインクが染み渡り、この印面４４ａ−１が用紙に接することでインクが用紙に付着して、マークが押印されるようになっている。
底面のマークは、例えば、図９に示すように、「済」、「すみ」、「スミ」、「ＦＩＮ」、「ｆｉｎ」（同図（ｉ）〜（ｖ））などとすることができる。
また、これら以外にも、例えば、同図（vi）〜（ｘ）に示すように、「スキャナ済」、「メール済」、「ＦＡＸ済」、「コピー済」、「ＰＤＦ済」などとすることもできる。
さらに、マークの形状は、同図（ｉ）〜（ｖ）に示した○や、同図（vi）〜（ｘ）に示した角の丸い四角、同図（xi）〜（xv）に示すように、四角、六角、三角、星型、楕円などとすることもできる。
また、「済」であることを直接示すものに限らず、例えば、一般的な図形や記号、図案化された人、動物、植物、建造物、景観、漫画などのキャラクターなどであってもよい。
【００３６】
この印章部材４４ａの上部は、印章支持部材４３ａに嵌合する嵌合部４４ａ−２が形成されている。
さらに、嵌合部４４ａ−２の上部には、印影識別形状部４４ａ−３が形成されている。印影識別形状部４４ａ−３は、図１０（ｉ）〜（viii）、図１１に示すように、三個のブロックの組み合わせにより、印影ごとに異なる形状で形成されている。例えば、印影識別形状部４４ａ−３の三個のブロックすべてが立設形成してある場合は、印影が「済」であることを示す（図１０（ｉ）、図１１）。また、印影識別形状部４４ａ−３の三個のブロックのうち左側と中間のブロックが立設形成してある場合は、印影が「すみ」であることを示す（図１０（ii）、図１１）。さらに、印影識別形状部４４ａ−３の三個のブロックのうち左側と右側のブロックが立設形成してある場合は、印影が「スミ」であることを示す（図１０（iii）、図１１）。同様に、印影識別形状部４４ａ−３の左側のブロックのみが立設形成してある場合は、印影が「ＦＩＮ」であることを示し（図１０（iv）、図１１）、印影識別形状部４４ａ−３の中間と右側のブロックが立設形成してある場合は、印影が「ｆｉｎ」であることを示す（図１０（ｖ）、図１１）。
なお、印影と印影識別形状部４４ａ−３の形状との組み合わせは、本実施形態においては図１１に示すものとしたが、同図に示す組み合わせに限るものではなく、任意に組み合わせとすることができる。
【００３７】
形状検知センサ４５ａは、例えば、レーザ光を用いたセンサなどで構成することができ、印章部材４４ａの印影識別形状部４４ａ−３の形状を検出する。
具体的には、図１２に示すように、３つの形状検知センサ４５ａ−１，４５ａ−２，４５ａ−３を横一列に配置し、さらに印影識別形状部４４ａ−３の各部材（ブロック）に対向する位置に配設する。そして、印影識別形状部４４ａ−３の対向する部材に向けてレーザ光を出力し、反射してきたレーザ光を受信する。この受信したレーザ光の有無にもとづく検知信号を出力する。例えば、レーザ光を受光したときには「１」の検知信号を出力し、レーザ光を受光しなかったときには「０」の検知信号を出力する。これら「１」と「０」との組み合わせにより、図１１を参照して印影を判定することができる。
【００３８】
なお、印章部材４４ａの実行済印のデザインを識別する手法は、本実施形態においては、印章部材４４ａの印影識別形状部４４ａ−３の形状にもとづいて識別することとしたが、この手法に限るものではなく、種々の手法が可能である。
例えば、実行済印を特定可能なバーコードを、印章部材４４ａの上部に貼付しておき、この印章部材４４ａを印章支持部材４３ａに嵌合したときのバーコードに対向する位置にバーコードリーダを取り付けておく。そして、バーコードリーダにより読み取られたバーコードにもとづいて、印章部材４４ａの実行済印を特定することができる。
【００３９】
ところで、第二の搬送路２２の下板２２ｂの上面において印章部材４４ａの直下付近には、図７に示すように、緩衝部材４６ａを設けることができる。緩衝部材４６ａは、例えば、熱可塑性樹脂などで構成することができる。この緩衝部材４６ａを設けることにより、実行済印を用紙に付すときに印章部材４４ａがその用紙を介して下板２２ｂに叩打するときの衝撃を和らげることができる。また、用紙に実行済印を鮮明に付することができる。
【００４０】
以上説明したノート型パソコン１は、当然ながら用紙搬送用のモータ、ＣＣＤ,印字ヘッド等を制御する制御部を備えているが、図１等においては図示を省略する。
また、可動筐体部１０と固定筐体部２０とは、ヒンジ部３０を介して開閉自在となっている。なお、最大開度は、例えば１２０度とすることができる。
【００４１】
（制御手段）
次に、制御手段について、図１３を参照して説明する。同図は、本実施形態の制御手段及びその関係系統を示すブロック図である。
同図に示すように、制御手段５０ａは、ОＣＲ部（光学式文字読取部）５１と、用紙センサ制御部５２と、モータ駆動制御部５３と、印字制御部５４と、キーボード制御部５５と、機能実行部５６と、スタンプ制御部５７ａとを有している。
また、制御手段５０ａには、表示部１１と、搬送ローラ１３，２３と、給紙検知センサ１４と、読取センサ１５と、キーボード２１と、印字ヘッド２４と、排紙検知センサ２５と、スタンプユニット４０と、記憶手段７０と、図示省略の用紙搬送用のモータ等が接続されている。
【００４２】
ОＣＲ部（解析手段）５１は、読取センサ１５が読み取った用紙の記載内容を、文字データに変換する。
用紙センサ制御部５２は、用紙が第一の搬送路１２へ挿入された際の給紙検知センサ１４による検知信号、および用紙が第二の搬送路２２から排出された際の排紙検知センサ２５の検知信号の処理を行う。
モータ駆動制御部５３は、図示省略の用紙搬送用のモータの回転駆動を制御する。
【００４３】
印字制御部（印刷手段）５４は、ОＣＲ部５１が変換した文字データを印字ヘッド２４に出力し、どのような印刷をするのかの制御を行う。また、キーボード２１から入力された文字等のデータを印字ヘッド２４に出力する。さらに、後述するインタネットＦＡＸや他のノート型パソコンから送信されてきたＦＡＸデータ（添付データ）等を印字ヘッド２４に出力する。
キーボード制御部５５は、キーボード２１からのキー入力を検知し、該キー入力に応じたデータを発生する。
【００４４】
機能実行部（機能実行手段）５６は、図１４に示すように、スキャナ制御部５６−１と、メール制御部５６−２と、ＦＡＸ制御部５６−３と、コピー制御部５６−４と、ＰＤＦ制御部５６−５と、実行終了通知部５６−６とを有している。
スキャナ制御部５６−１（読取センサ制御部５１）は、用紙の記載内容を読み取る読取センサ１５の制御を行う。
【００４５】
メール制御部５６−２は、電子メール送受信制御部５６−２１と、電子メール作成制御部５６−２２と、読取データ編集制御部５６−２３と、読取データ添付制御部５６−２４と、添付データ拡大／縮小制御部５６−２５と、送信ズレ制御部５６−２６とを有している。
電子メール送受信制御部５６−２１は、ＴＣＰ/ＩＰ（transmission  control  protocol／internet  protocol）プロトコルに対応しており、インタネットでの電子メールの送受信を行う。電子メール送受信制御部５６−２１の機能としては、例えば、電子メールの宛先指定，ＰＤＦ（portable  document  format）やＴＩＦＦ（tagged  image  file  format）の選択等を行うことが可能である。
電子メール作成部５６−２２は、例えば、テキスト形式やＨＴＭＬ（hypertext  markup  language）による電子メールの作成を行う。
【００４６】
読取データ編集制御部５６−２３は、読取センサ１５で読み取った文章・画像等に、「表紙」を付けたり、文章や画像を付加する制御を行う。
表紙付加としては、「対外的なＦＡＸ送信」であれば、例えば「○○株式会社、○○部、△△様」等というデータを予めメモリに記憶させておき、送信先に応じて「宛先」を付加する場合がある。また、「社内的なＦＡＸ送信」であれば、例えば「見積様式」等のデータを予めメモリに記憶させておき、送信先に応じて「見積様式」を付加する場合がある。
また、手書きのメモ類を付加することも可能である。この手書きのメモ類は、例えば、読取センサ（スキャナ）１５に読み取らせて付加することができる。
【００４７】
読取データ添付制御部５６−２４は、読取センサ１５が読み取った送信用原稿のデータを、電子メールの添付データとする制御を行う。
添付データ拡大／縮小制御部５６−２５は、例えば、送信用原稿がＡ５版のものを、Ａ４版に拡大したり、逆にＡ４版をＡ５版に縮小して送信可能に制御する。
送信ズレ制御部５６−２６は、送信用原稿が挿入口１２−３から正規位置に対してズレて挿入された場合でも、ズレを検出し、正規位置に修正して送信する制御を行う。従って、受信側では正規位置（ズレ無し）で印字出力される。
【００４８】
ＦＡＸ制御部５６−３は、読取センサ１５が用紙から読み取ったデータを、ＦＡＸ送信する制御を行う。
コピー制御部５６−４は、読取センサ１５が用紙から読み取ったデータを記憶手段７０へ送って記憶させるとともに、新たな用紙が挿入口１２−３に挿入されると、記憶手段７０からデータと取り出して印字制御部５４へ送り、印字ヘッド２４により、その用紙にデータの示す文字等を印字させる。
【００４９】
ＰＤＦ制御部５６−５は、読取センサ１５が用紙から読み取ったデータをＰＤＦ変換し、このＰＤＦデータを記憶手段７０へ送って記憶させる。
実行終了通知部５６−６は、スキャナ制御部５６−１でのスキャナ機能の実行、メール制御部５６−２でのメール機能の実行、ＦＡＸ制御部５６−３でのＦＡＸ機能の実行、コピー制御部５６−４でのコピー機能の実行、ＰＤＦ制御部５６−５でのＰＤＦ変換機能の実行のうちの一つ以上の機能の実行が終了すると、その終了したこを示す通知をスタンプ制御部５７ａへ送る。
【００５０】
スタンプ制御部５７ａは、機能実行部５６の実行終了通知部５６−６から実行終了通知を受けると、スタンプユニット４０を動作制御して、用紙に実行済印を付す。
また、スタンプ制御部５７ａは、印文特定部５７ａ−１（図示せず）を有している。印文特定部５７ａ−１は、形状検知センサ４５ａから検知信号を受けると、図１１に示す印影判断テーブルを参照して、スタンプユニット４０の印章支持部材４３ａに嵌合された印章部材４４ａの印文（この印章部材４４ａを用いて押印されたときの印影）を特定する。
【００５１】
（実行済印押印方法）
次に、本実施形態のノート型パソコンの動作（実行済印押印方法）について、図１６を参照して説明する。
同図は、本実施形態のノート型パソコンの動作を示すフローチャートである。
【００５２】
ノート型パソコン１ａの挿入口１２−３に用紙が挿入されると、この用紙が取り込まれ、第一の搬送路１２（筐体の内部）を通過する（用紙搬送処理）。この間、読取センサ１５にて用紙の記載内容が読み取られる（読取処理）。
読取センサ１５で読み取られた用紙の記載内容について、同図に示すように、所定の機能、例えば、スキャナ機能，メール機能，ＦＡＸ機能，コピー機能，ＰＤＦ変換機能などが機能実行部５６にて実行される（機能実行処理、ステップ１０）。
その機能の実行が終了すると（ステップ１１）、実行終了通知が実行終了通知部５６−６からスタンプ制御部５７ａへ送られる。
【００５３】
スタンプ制御部５７ａにおいて、実行済印を押下する設定になっているか否かが判断される（ステップ１２）。
判断の結果、設定になっているときは、スタンプユニット４０を駆動して、用紙に実行済印が付される（ステップ１３）。用紙は、その後、第二の搬送路２２を通過して、排出口２２−３から排出される。
一方、設定されていないときは、実行済印は付されない。
なお、実行済印を付すか否かの設定は、設定画面を表示部１１に表示させ、キーボード２１等を用いてユーザが設定することが可能となっている。
このような方法で実行済印が付された用紙を図１７に示す。
【００５４】
以上、説明したように、本実施形態のノート型パソコンによれば、所定の機能が実行されたことを示す実行済印を用紙に付すことができる。このため、その用紙の記載内容について、既に所定の機能が実行されたか否かが視覚的に明確となる。
また、所定の機能が実行された用紙とまだ実行されていない用紙との仕分け作業を容易に行うことができる。
さらに、その実行済印は半永久的に残るため、所定の機能が実行された事実の確認を後日においても容易に行うことができる。
【００５５】
［第二実施形態］
次に、本発明のノート型パソコンの第二の実施形態について、図１８を参照して説明する。
同図は、本実施形態のノート型パソコンにおけるスタンプユニットの構成を示す上面図である。
本実施形態は、第一実施形態と比較して、スタンプユニットの構成が相違する。すなわち、第一実施形態では、スタンプユニットを一つ備えた構成としたのに対し、本実施形態では、スタンプユニットを複数備えた構成としてある。他の構成要素は第一実施形態と同様である。
したがって、図１８において、図１等と同様の構成部分については同一の符号を付して、その詳細な説明を省略する。
【００５６】
図１８に示すように、本実施形態のノート型パソコン１ｂは、スタンプユニット４０ｂを複数備えている。
複数のスタンプユニット４０ｂ（４０ｂ−１〜４０ｂ−ｎ）のそれぞれは、同図に示すように、駆動手段４１ｂ（駆動軸４１ｂ−１を含む）と、駆動伝達部材４２ｂ（係合部材４２ｂ−１、支点部材４２ｂ−２、従節部材４２ｂ−３）と、印章支持部材４３ｂと、印章部材４４ｂと、形状検知センサ４５ｂとを有している。
これらスタンプユニット４０ｂは、それぞれ印文の異なる印章部材４４ｂを取り付けることができる。これにより、条件に応じて異なった印文の実行済印を付することができる。
また、それらスタンプユニット４０ｂは、それぞれ印文の同じ印章部材４４ｂを取り付けることができる。これにより、一つが故障した場合でも他のスタンプユニット４０ｂを用いて実行済印を付することができる。
【００５７】
表示部１１は、図１９に示すように、実行済印選択画面を表示する。
この実行済印選択画面は、所定の機能が実行されたときに付される実行済印を、ユーザがキーボード２１等を操作することにより選択可能とするための画面である。
この実行済印選択画面には、「押印する実行済印はどれにしますか？」などのメッセージ、実行済印として押印可能な印文（印影）、印文を選択するためのラジオボタン、選択した印文を決定するための決定ボタンなどが表示される。
なお、キーボード２１等は、実行済印選択画面に表示された一又は二以上の実行済印（印文）の中から用紙に付する実行済印を選択することから「印文選択手段」としての機能を有している。
【００５８】
制御手段５０ｂは、ОＣＲ部（光学式文字読取部）５１と、用紙センサ制御部５２と、モータ駆動制御部５３と、印字制御部５４と、キーボード制御部５５と、機能実行部（機能実行手段）５６と、スタンプ制御部５７ｂとを有している。
スタンプ制御部５７ｂは、図２０に示すように、印文特定部５７ｂ−１と、押印実行設定部５７ｂ−２と、スタンプ選択部５７ｂ−３と、押印制御部５７ｂ−４とを有している。
【００５９】
印文特定部５７ｂ−１は、形状検知センサ４５ｂから検知信号を受けると、図１１に示す印影判断テーブルを参照して、スタンプユニット４０ｂ−１〜４０ｂ−ｎのそれぞれの印章支持部材４３ｂに嵌合された印章部材４４ｂの印文を特定する。この特定された印文が、実行済印選択画面に表示される。
押印実行設定部５７ｂ−２は、実行済印を押下する又はしないの設定を行う。この設定は、設定画面が表示部１１に表示され、ユーザがキーボード２１等を操作することで押下する又はしないを選択し、この選択内容を設定内容とするものである。この設定は、いつでも行うことができる。つまり、所定の機能の実行を伴っていなくてもよく、その実行以前に予め設定しておくことができる。
また、押印実行設定部５７ｂ−２は、実行済印を押下する設定になっているか否かを判断する。実行済印の押下の設定内容（押下する又は押下しないの設定）は、記憶手段７０に記憶されており、押印実行設定部５７ｂ−２は、その記憶手段７０に記憶された設定内容を確認する。
【００６０】
スタンプ選択部（スタンプ選択手段）５７ｂ−３は、キーボード２１等の操作によりユーザが選択し決定された印文を押下可能なスタンプユニット４０ｂを選択する。
押印制御部（押印制御手段）５７ｂ−４は、機能実行部５６の実行終了通知部５６−６から実行終了通知を受けると、スタンプ選択部５７ｂ−３で選択されたスタンプユニット４０ｂを動作させて、用紙に実行済印を付す。つまり、押印制御部５７ｂ−４は、印文選択手段であるキーボード２１の操作により選択された印文が彫刻されている印章部材４４を有するスタンプユニット４０ｂを用いて用紙に実行済印を付する。
記憶手段７０は、図１１に示す印影判断テーブルを記憶する。また、実行済印選択画面に表示された実行済印の候補のうちキーボード２１等の操作によりユーザが選択した実行済印を記憶する。
【００６１】
次に、本実施形態のノート型パソコンの動作について、図２１、図２２を参照して説明する。
図２１は、押下する実行済印を決定する手順を示すフローチャート、図２２は、決定された実行済印を付す手順を示すフローチャートである。
図２１に示すように、表示部１１に実行済印選択画面が表示されると（ステップ２０）、ユーザは、キーボード２１等を用いて、その実行済印選択画面に表示された実行済印の候補の中から一つを選択する（ステップ２１）。そして、決定ボタンが押下されると（ステップ２２）。その選択された実行済印が記憶手段７０に記憶される（ステップ２３）。
【００６２】
ノート型パソコン１ｂの挿入口１２−３に用紙が挿入されると、この用紙が取り込まれ、第一の搬送路１２（筐体の内部）を通過する（用紙搬送処理）。この間、読取センサ１５にて用紙の記載内容が読み取られる（読取処理）。
読取センサ１５で読み取られた用紙の記載内容について、図２２に示すように、所定の機能、例えば、スキャナ機能などが機能実行部５６にて実行される（機能実行処理、ステップ３０）。その機能の実行が終了すると（ステップ３１）、実行終了通知が実行終了通知部５６−６からスタンプ制御部５７ｂへ送られる。
【００６３】
押印実行設定部５７ｂ−２において、実行済印を押下する設定になっているか否かが判断される（ステップ３２）。
判断の結果、設定になっているときは、押下する実行済印（ステップ２１で選択され、ステップ２２で決定された実行済印）が記憶手段７０から取り出され（ステップ３３）、スタンプユニット４０を駆動して、その実行済印が用紙に付される（ステップ３４）。用紙は、その後、第二の搬送路２２を通過して、排出口２２−３から排出される。
一方、設定されていないときは、実行済印は付されない。
【００６４】
以上、説明したように、本実施形態のノート型パソコンによれば、スタンプユニットを複数備えて、ユーザが選択した実行済印を用紙に付すことができる。これにより、ユーザが実行済印を選択する自由度を高めることができる。
【００６５】
［第三実施形態］
次に、本発明のノート型パソコンの第三の実施形態について、図２３〜図２７を参照して説明する。
図２３は、機能−実行済印対応選択画面の構成を示す図表、図２４は、スタンプ制御部の構成を示すブロック図、図２５は、機能−実行済印対応テーブルの構成を示す図表、図２６及び図２７は、本実施形態のノート型パソコンの動作手順を示すフローチャートである。
【００６６】
本実施形態は、第一実施形態と比較して、スタンプユニットの数と、その選択手法が相違する。すなわち、第一実施形態では、スタンプユニットを一つのみ備えて、このスタンプユニットにより実行済印を押印する構成としたのに対し、本実施形態では、スタンプユニットを複数備えて、実行された機能に対応したスタンプユニットにより実行済印を押印する。他の構成要素は第一実施形態と同様である。
したがって、図２３〜図２７において、図１等と同様の構成部分については同一の符号を付して、その詳細な説明を省略する。
【００６７】
本実施形態のノート型パソコン１ｃは、スタンプユニット４０ｃを複数備えている。そして、これら複数のスタンプユニット４０ｃ（４０ｃ−１〜４０ｃ−ｎ）は、駆動手段４１ｃ（駆動軸４１ｃ−１を含む）と、駆動伝達部材４２ｃ（係合部材４２ｃ−１、支点部材４２ｃ−２、従節部材４２ｃ−３）と、印章支持部材４３ｃと、印章部材４４ｃと、形状検知センサ４５ｃとを有している。
また、これらスタンプユニット４０ｃは、それぞれ印文の異なる印章部材４４ｃを取り付けることができる。これにより、機能ごとに異なった印文の実行済印を付することができる。
ただし、複数のスタンプユニット４０ｃのうち二以上のスタンプユニット４０ｃが印文の同じ印章部材４４ｂを取り付けることもできる。これにより、一つが故障した場合でも他のスタンプユニット４０ｃを用いて実行済印を付することができる。
【００６８】
なお、本実施形態のスタンプユニット４０ｃ（４０ｃ−１〜４０ｃ−ｎ）、駆動手段４１ｃ、駆動伝達部材４２ｃ（係合部材４２ｃ−１、支点部材４２ｃ−２、従節部材４２ｃ−３）、印章支持部材４３ｃ、印章部材４４ｃ、形状検知センサ４５ｃは、第二実施形態におけるスタンプユニット４０ｂ（４０ｂ−１〜４０ｂ−ｎ）、駆動手段４１ｂ、駆動伝達部材４２ｂ（係合部材４２ｂ−１、支点部材４２ｂ−２、従節部材４２ｂ−３）、印章支持部材４３ｂ、印章部材４４ｂ、形状検知センサ４５ｂとそれぞれ同様の機能を有している。このため、ここでの説明は省略する。
【００６９】
表示部１１は、図２３に示すように、機能−実行済印対応選択画面を表示する。
この機能−実行済印対応選択画面は、各種機能と実行済印との対応を、ユーザがキーボード２１等を操作することにより選択可能とするための画面である。
この機能−実行済印対応選択画面には、「次の機能が実行されたときに用紙に押印する実行済印を選択して下さい。」などのメッセージ、実行可能な機能の一覧、各機能に対応した実行済印の表示欄、選択した実行済印を決定するための決定ボタンなどが表示される。
各機能に対応した実行済印は、下向き三角「▼」の押下により表示されたプルダウンメニューの選択項目（１：「済」、２：「すみ」、３：「スミ」、４：「ＦＩＮ」、５：「ｆｉｎ」など）の中から任意の一つを選択することができる。
【００７０】
制御手段５０ｃは、ОＣＲ部（光学式文字読取部）５１と、用紙センサ制御部５２と、モータ駆動制御部５３と、印字制御部５４と、キーボード制御部５５と、機能実行部（機能実行手段）５６と、スタンプ制御部５７ｃとを有している。
スタンプ制御部５７ｃは、図２４に示すように、印文特定部５７ｃ−１と、押印実行設定部５７ｃ−２と、スタンプ選択部５７ｃ−３と、押印制御部５７ｃ−４と、機能対応部５７ｃ−５とを有している。
【００７１】
印文特定部５７ｃ−１、押印実行設定部５７ｃ−２は、第二実施形態における印文特定部５７ｂ−１、押印実行設定部５７ｂ−２と同様の機能を有している。
スタンプ選択部（スタンプ選択手段）５７ｃ−３は、機能−実行済印対応テーブルを参照して、機能対応部５７ｃ−５で指定された実行済印を押下するスタンプユニット４０ｃを選択する。
【００７２】
押印制御部（押印制御手段）５７ｃ−４は、スタンプ選択部５７ｃ−３で選択されたスタンプユニット４０ｃを動作させて、用紙に実行済印を付す。つまり、押印制御部５７ｃ−４は、スタンプ選択部５７ｃ−３で選択された印文を押印可能なスタンプ手段（スタンプユニット４０ｃ）を用いて用紙に実行済印を付する。
機能対応部５７ｃ−５は、機能実行部５６の実行終了通知部５６−６から実行終了通知を受けると、この実行終了通知にもとづいて実行された機能を特定し、機能−実行済印対応テーブルを参照して、実行された機能に対応する実行済印を指定する。
【００７３】
記憶手段７０は、図２５に示す機能−実行済印対応テーブル（機能−印文対応テーブル）を記憶する。
機能−実行済印対応テーブルは、各機能と実行済印の印文とスタンプユニットとを関連付けて構成されたテーブルである。具体的には、例えば、スキャナ機能が実行されると、「済」という実行済印を押下するために、スタンプユニット４０ｃ−１が動作する。また、電子メール機能が実行されると、「すみ」という実行済印を押下するために、スタンプユニット４０ｃ−２が動作する。
この機能−実行済印対応テーブルのうち各機能と実行済印との関連付けは、機能−実行済印対応選択画面においてユーザが選択し決定した各機能と実行済印との組み合わせにより構成される。また、実行済印とスタンプユニット４０ｃとの関連付けは、印文特定部５７ｃ−１で特定された実行済印（印章部材４４ｂの印文）とスタンプユニット４０ｃとの組み合わせにより構成される。
【００７４】
次に、本実施形態のノート型パソコンの動作について、図２６、図２７を参照して説明する。
図２６は、各機能と実行済印との組み合わせを決定する手順を示すフローチャート、図２７は、機能が実行されて実行済印を付す手順を示すフローチャートである。
図２６に示すように、表示部１１に機能−実行済印対応選択画面が表示されると（ステップ４０）、ユーザは、キーボード２１等を用いて、その機能−実行済印対応選択画面に表示されたプルダウンボタン（▼）を押下して、プルダウンメニューに表示された実行済印の候補の中から一つを選択する（ステップ４１）。この選択作業を各機能ごとに行い、決定ボタンが押下されると（ステップ４２）。その選択された実行済印が記憶手段７０に記憶される（ステップ４３）。
【００７５】
ノート型パソコン１ｃの挿入口１２−３に用紙が挿入されると、この用紙が取り込まれ、第一の搬送路１２（筐体の内部）を通過する（用紙搬送処理）。この間、読取センサ１５にて用紙の記載内容が読み取られる（読取処理）。
読取センサ１５で読み取られた用紙の記載内容について、図２７に示すように、所定の機能、例えば、スキャナ機能が機能実行部５６にて実行される（機能実行処理、ステップ５０）。その機能の実行が終了すると（ステップ５１）、実行終了通知が実行終了通知部５６−６からスタンプ制御部５７ｃへ送られる。
【００７６】
押印実行設定部５７ｃ−２において、実行済印を押下する設定になっているか否かが判断される（ステップ５２）。
判断の結果、設定になっているときは、機能対応部５７ｃ−５において、その実行終了通知にもとづき、実行された機能が特定され（ステップ５３）、機能−実行済印対応テーブルを参照して、実行された機能に対応する実行済印が指定される（ステップ５４）。
さらに、スタンプ選択部５７ｃにおいて、機能−実行済印対応テーブルが参照され、機能対応部５７ｃ−５で指定された実行済印を押下するスタンプユニット４０ｃが特定される（ステップ５５）。そして、押印制御部５７ｃ−４において、その特定されたスタンプユニット４０ｃを駆動して、実行済印が用紙に付される（ステップ５６）。用紙は、その後、第二の搬送路２２を通過して、排出口２２−３から排出される。
なお、ステップ５２の判断で設定されていないとされたときは、実行済印は付されない。
【００７７】
以上、説明したように、本実施形態のノート型パソコンによれば、スタンプユニットを複数備えて、機能ごとに実行済印を関連付けることができる。これにより、押下された実行済印を目視することで実行された機能を特定できる。
【００７８】
［第四実施形態］
次に、本発明のノート型パソコンの第四の実施形態について、図２８〜図３３を参照して説明する。
図２８は、複数のスタンプユニットの配置を示す構成図、図２９は、用紙上の押印位置を示す正面図、図３０は、押印位置選択画面の構成を示す図、図３１は、スタンプ制御部の構成を示すブロック図、図３２及び図３３は、本実施形態のノート型パソコンの動作手順を示すフローチャートである。
【００７９】
本実施形態は、第一実施形態と比較して、押印箇所を指定できる点で相違する。すなわち、第一実施形態では、実行済印が押印される用紙上の位置が固定していたのに対し、本実施形態では、その押印される用紙上の位置をユーザが選択できる。他の構成要素は第一実施形態と同様である。
したがって、図２８〜図３３において、図１等と同様の構成部分については同一の符号を付して、その詳細な説明を省略する。
【００８０】
図２８に示すように、本実施形態のノート型パソコン１ｄは、スタンプユニット４０ｄを複数備えている。
複数のスタンプユニット４０ｄ（４０ｄ−１〜４０ｄ−ｎ）のそれぞれは、同図に示すように、駆動手段４１ｄ（駆動軸４１ｄ−１を含む）と、駆動伝達部材４２ｄ（係合部材４２ｄ−１、支点部材４２ｄ−２、従節部材４２ｄ−３）と、印章支持部材４３ｄと、印章部材４４ｄと、形状検知センサ４５ｄとを有している。
これらスタンプユニット４０ｄは、それぞれ印文の同じ印章部材４４ｄを取り付けることができる。また、それぞれ印文の異なる印章部材４４ｄを取り付けることもできる。
【００８１】
複数のスタンプユニット４０ｄの配置は、例えば、同図に示すように、第二の筐体部２０ｄの左端の方（スタンプユニット４０ｄ−１）と、第二の筐体部２０ｄの中央付近（スタンプユニット４０ｄ−２）と、第二の筐体部２０ｄの右端の方（スタンプユニット４０ｄ−３）に配置することができる。
これらスタンプユニット４０ｄを用いて用紙に実行済印を押印すると、図２９に示すようになる。すなわち、スタンプユニット４０ｄ−１を用いて実行済印を押印すると、その実行済印は、用紙の下方左端に付される。スタンプユニット４０ｄ−２を用いて実行済印を押印すると、その実行済印は、用紙の下方中央に付される。スタンプユニット４０ｄ−３を用いて実行済印を押印すると、その実行済印は、用紙の下方右端に付される。
【００８２】
表示部１１は、図３０に示すように、押印位置選択画面を表示する。
この押印位置選択画面は、実行済印の押印位置を、ユーザがキーボード２１等を操作することにより選択可能とするための画面である。
この押印位置選択画面には、「どの位置に実行済印を押印しますか？」などのメッセージ、押印位置が示された用紙の正面図、押印位置を選択するためのラジオボタン、選択した押印位置を決定するための決定ボタンなどが表示される。
【００８３】
制御手段５０ｄは、ОＣＲ部（光学式文字読取部）５１と、用紙センサ制御部５２と、モータ駆動制御部５３と、印字制御部５４と、キーボード制御部５５と、機能実行部（機能実行手段）５６と、スタンプ制御部５７ｄとを有している。
スタンプ制御部５７ｄは、図３１に示すように、印文特定部５７ｄ−１と、押印実行設定部５７ｄ−２と、押印位置特定部５７ｄ−３と、スタンプ選択部５７ｄ−４と、押印制御部５７ｄ−５とを有している。
印文特定部５７ｂ−１、押印実行設定部５７ｄ−２は、第二実施形態における印文特定部５７ｂ−１、押印実行設定部５７ｂ−２と同様の機能を有している。
【００８４】
押印位置特定部（押印位置特定手段）５７ｄ−３は、機能実行部５６の実行終了通知部５６−６から実行終了通知を受けると、ユーザが選択し決定した押印位置を記憶手段７０から取り出し、これを押印位置として特定する。
スタンプ選択部（スタンプ選択手段）５７ｄ−４は、押印位置特定部５７ｄ−３で特定された押印位置に押印可能なスタンプユニット４０ｄを選択する。
【００８５】
押印制御部（押印制御手段）５７ｄ−５は、スタンプ選択部５７ｄ−４で選択されたスタンプユニット４０ｄを動作させて、用紙に実行済印を付す。つまり、押印制御部５７ｄ−５は、押印位置特定部５７ｄ−３で特定された押印位置に配設されている印章部材４４（スタンプユニット４０ｄ）を用いて用紙に実行済印を付する。
記憶手段７０は、押印位置選択画面に表示された押印位置の候補のうちキーボード２１等の操作によりユーザが選択した押印位置を記憶する。
【００８６】
次に、本実施形態のノート型パソコンの動作について、図３２、図３３を参照して説明する。
図３２は、押印位置を決定する手順を示すフローチャート、図３３は、決定された押印位置に実行済印を付す手順を示すフローチャートである。
図３２に示すように、表示部１１に押印位置選択画面が表示されると（ステップ６０）、ユーザは、キーボード２１等を用いて、その押印位置選択画面に表示された押印位置の候補の中から一つを選択する（ステップ６１）。そして、決定ボタンが押下されると（ステップ６２）。その選択された押印位置が記憶手段７０に記憶される（ステップ６３）。
【００８７】
ノート型パソコン１ｄの挿入口１２−３に用紙が挿入されると、この用紙が取り込まれ、第一の搬送路１２（筐体の内部）を通過する（用紙搬送処理）。この間、読取センサ１５にて用紙の記載内容が読み取られる（読取処理）。
読取センサ１５で読み取られた用紙の記載内容について、図３３に示すように、所定の機能、例えば、スキャナ機能などが機能実行部５６にて実行される（機能実行処理、ステップ７０）。その機能の実行が終了すると（ステップ７１）、実行終了通知が実行終了通知部５６−６からスタンプ制御部５７ｄへ送られる。
押印実行設定部５７ｄ−２において、実行済印を押下する設定になっているか否かが判断される（ステップ７２）。
【００８８】
判断の結果、設定になっているときは、押印位置特定部５７ｄ−３において、押印位置（ステップ６１で選択され、ステップ６２で決定された押印位置）が記憶手段７０から取り出されて特定される（ステップ７３）。この特定された押印位置に押印可能なスタンプユニット４０ｄがスタンプ選択部５７ｄ−４で選択され（ステップ７４）、押印制御部５７ｄ−５で、そのスタンプユニット４０が駆動制御されて、その押印位置に実行済印が付される（ステップ７５）。用紙は、その後、第二の搬送路２２を通過して、排出口２２−３から排出される。
なお、ステップ７２の判断で、設定されていないとされたときは、実行済印は付されない。
【００８９】
以上、説明したように、本実施形態のノート型パソコンによれば、ユーザが選択した用紙上の位置に実行済印を付すことができる。これにより、ユーザが押印位置を選択する自由度を高めることができる。
なお、押印位置は、実行された機能ごとに異なる位置とすることもできる。
【００９０】
［第五実施形態］
次に、本発明のノート型パソコンの第五の実施形態について、図３４〜図３９を参照して説明する。
図３４は、本実施形態のノート型パソコンの内部構造を示す側面図、図３５は、消去ヘッドと、消去ヘッドを構成する電極に挟持された電子ペーパの概略断面図、図３６は、書込ヘッドと、書込ヘッドを構成する記録ヘッドと搬送ローラに挟持された電子ペーパの概略断面図、図３７は、本実施形態における制御手段及びその周辺構成を示すブロック図、図３８は、書込制御部の構成を示すブロック図、図３９は、本実施形態のノート型パソコンの動作手順を示すフローチャートである。
【００９１】
本実施形態は、第一実施形態と比較して、扱う用紙の種類と、それに伴う構成が相違する。すなわち、第一実施形態では、紙製の用紙を扱い、物理スタンプにより実行済印を押印していたのに対し、本実施形態では、電子ペーパを扱い、電子スタンプにより実行済印を押印する。他の構成要素は第一実施形態と同様である。
したがって、図３４〜図３９において、図１等と同様の構成部分については同一の符号を付して、その詳細な説明を省略する。
【００９２】
本実施形態のノート型パソコン１ｅは、図３４に示すように、可動筐体部１０ｅと、固定筐体部２０ｅと、ヒンジ部３０とを備えている。
ここで、可動筐体部（第一の筐体部）１０ｅは、表示部１１と、第一の搬送路１２と、搬送ローラ１３−１、１３−２と、給紙検知センサ１４と、読取センサ１５と、消去ヘッド１８を有している。
【００９３】
表示部１１は、読取センサ１５で読み取られた用紙の記載内容を画像として表示することができる。特に、本実施形態において表示部１１は、読取センサ１５で読み取られた電子ペーパＥＰの記載内容を画像として表示することができる。
読取センサ１５としては、例えば、ＣＣＤラインセンサを用いることができる。ＣＣＤラインセンサは、光源を原稿に照射してその反射光を読み取るセンサであるため、電子ペーパＥＰであっても、電子ペーパＥＰの表面が白黒のコンストラストを構成する場合には、普通紙と同様に、電子ペーパＥＰの表示をデータとして読み取ることができる。この読取センサ１５により読み取られた電子ペーパＥＰのデータは、制御部５０ｅ（後述）へ送られて所定の処理がなされる。
【００９４】
消去ヘッド１８は、電子ペーパＥＰに書き込まれた表示内容を消去する。この消去ヘッド１８は、従来公知の任意好適な消去手段（例えば、特開２００１−９２３８７号公報に記載の手段）を使用できる。
具体的には、例えば、電子ペーパＥＰに一様に電界を発生させる電極を消去ヘッド１８として用いることができる。図３５に示すように、消去ヘッド１８である電極は、弾性材料から形成された一対の弾性ローラにより構成される。この弾性ローラは、導電性のゴムローラから構成され、電子ペーパＥＰの表示を消去するときには電圧が印加される。
【００９５】
電子ペーパＥＰの表側の表示基板２０１に電界を加えることにより、表示基板２０１は正又は負に帯電する。電子ペーパＥＰを構成する二枚の基板の内部の黒色粒子２０２または白色粒子２０３のうち、どちらか一方の粒子は、帯電した表示基板２０１に引き寄せられる。そして、他方の粒子は、非表示基板２０４に引き寄せられる。これにより、電子ペーパＥＰの表示基板２０１は、黒色または白色に統一され、電子ペーパＥＰの表示は消去される。
【００９６】
なお、図３５に示す場合には、表示基板２０１が消去ヘッド１８により帯電することにより、黒色粒子２０２が表示基板２０１に引き寄せられる。これにより、電子ペーパＥＰの表面は黒色に統一され、電子ペーパＥＰの表示は消去される。
ただし、電子ペーパＥＰに表示がされていても、書込ヘッド２８により、別の表示に変更することができる。したがって、電子ペーパＥＰの表示を消去する必要がある場合だけ、消去ヘッド１８を使用すればよい。
【００９７】
固定筐体部（第二の筐体部）２０ｅは、図３４に示すように、キーボード２１と、第二の搬送路２２と、搬送ローラ２３−１、２３−２、２３−３と、印字ヘッド２４と、排紙検知センサ２５と、書込ヘッド２８とを有している。
【００９８】
書込ヘッド（電子スタンプ、スタンプ手段）２８は、従来公知の任意好適な書込手段（例えば、特開２００１−９２３８７号公報に記載の手段）を使用できる。書込ヘッド２８は、例えば、図３６に示すように、書込ヘッド本体２８−１と搬送ローラ２８−２から構成される。
電子ペーパＥＰへの具体的な書き込み方法は、以下の通りである。まず、書込ヘッド本体２８−１が電子ペーパＥＰに対し、表示データに対応した位置に電界を与える。つぎに、電子ペーパＥＰの表示基板２０１のうち書込ヘッド本体２８−１により電界が加えられた領域は正の電荷（又は負の電荷）を帯びるので、その部分に引き付けられていた負に帯電した粒子（又は、正に帯電した粒子）は、非表示基板２０４の方向に移動する。これにより、電子ペーパＥＰの表示基板２０２は、白と黒のコンストラストによる表示が形成される。
【００９９】
例えば、書込ヘッド本体２８−１が、図３６に示すように、表示基板２０１を負に帯電させる場合には、負に帯電した黒色粒子２０２は、非表示基板２０４に移動し、正に帯電した白色粒子２０３は、表示基板２０１に移動する。また、書込ヘッド本体２８−１が、表示基板２０１を正に帯電させる場合には、黒色粒子２０２は、移動することなく、表示基板２０１に留まる。これにより表示基板２０１の黒色粒子２０２が付着してない表示基板２０１は白色となり、電子ペーパＥＰに黒と白のコントラストによる表示が形成される。なお、消去ヘッド１８により表示基板２０１に白色粒子２０３を引き付けておき、書込ヘッド本体２８−１によって、白色粒子２０３を非表示基板２０４方向に移動させることにより、白色粒子２０３が付着してない表示基板２０１の領域を黒色とすることもできる。
なお、ノート型パソコン１ｅは、搬送用のモータ、読取センサ１５を構成するＣＣＤ（電荷結合素子）等の撮像素子、書込ヘッド２８等を制御する制御部を備えているが、図３４等においては図示を省略する。
【０１００】
次に、本実施形態のノート型パソコンの制御手段について、図３７を参照して説明する。同図は、本実施形態のノート型パソコンの制御手段及びその関係系統を示すブロック図である。
同図に示すように、制御手段５０ｅは、ＯＣＲ部（光学式文字読取部）５１と、用紙センサ制御部５２と、モータ駆動制御部５３と、印字制御部５４と、キーボード制御部５５と、機能実行部（機能実行手段）５６と、消去制御部５７と、書込制御部（スタンプ制御部）５８とを有している。
また、制御部５０ｅには、表示部１１、搬送ローラ１３、２３、給紙検知センサ１４、読取センサ１５、キーボード２１、印字ヘッド２４、排紙検知センサ２５、消去ヘッド１８、書込ヘッド２８、記憶手段７０等が接続されている。
【０１０１】
消去制御部５８は、消去ヘッド１８を制御して、いったん表示された電子ペーパＥＰの表示を消去する。
書込制御部（スタンプ制御部）５９は、電子ペーパＥＰに表示させるデータ等を書込ヘッド２８に出力し、電子ペーパＥＰに実際に文字、表、図形データを表示させる。
【０１０２】
また、書込制御部５９は、図３８に示すように、押印実行設定部５９−１と、押印位置特定部５９−２と、印文特定部５９−３と、押印制御部５９−４とを有している。
押印実行設定部５９−１は、第二実施形態における押印実行設定部５７ｂ−２と同様の機能を有している。
押印位置特定部５９−２は、実行済印が付される用紙上の位置を特定する。この実行済印の押印位置も記憶手段７０に記憶されている。
【０１０３】
印文特定部５９−３は、実行済印のデザインを特定する。実行済印のデザインとしては、図９に示したものがある。
押印制御部５９−４は、押印実行設定部５９−１で「実行する」が設定されている場合に、押印位置特定部５９−２で特定された押印位置、印文特定部５９−３で特定された実行済印のデザインにもとづいて、書込ヘッド２８に実行済印を電子ペーパＥＰに書き込ませる。
実行済印が書き込まれた電子ペーパＥＰの表示内容は、図１７に示すものと同様である。
【０１０４】
なお、書込制御部５９は、機能対応部５９−５（図示せず）を備えることができる。機能対応部５９−５は、実行された機能に対応する実行済印のデザインを特定する。この実行された機能と実行済印のデザインとの組み合わせは、記憶手段７０に記憶されている。
この機能対応部５９−５を備える場合、押印制御部５９−４は、押印実行設定部５９−１で「実行する」が設定されているときには、機能対応部５９−４で特定された、実行された機能に対応する実行済印のデザインにもとづいて、書込ヘッド２８に実行済印を電子ペーパＥＰに書き込ませる。
また、押印位置の特定、実行済印のデザインの特定、実行された機能と実行済印のデザインとの組み合わせは、ユーザにより指定可能である。つまり、指定画面を表示部１１に表示し、キーボード２１等を操作して、ユーザが画面の指示に従って指定する。この指定内容が、記憶手段７０に記憶される。
【０１０５】
次に、本実施形態のノート型パソコン１ｅの動作について、図３９を参照しつつ説明する。同図は、本実施形態に係るノート型パソコンの動作手順を示すフローチャートである。
ノート型パソコン１ｅの挿入口１２−３に電子ペーパＥＰが挿入されると、この電子ペーパＥＰが取り込まれ、第一の搬送路１２（筐体の内部）を通過する（用紙搬送処理）。この間、読取センサ１５にて電子ペーパＥＰの記載内容が読み取られる（読取処理）。
読取センサ１５で読み取られた用紙の記載内容について、同図に示すように、所定の機能、例えば、スキャナ機能などが機能実行部５６にて実行される（機能実行処理、ステップ８０）。その機能の実行が終了すると（ステップ８１）、実行終了通知が実行終了通知部５６−６から書込制御部５９へ送られる。
【０１０６】
書込制御部５９の押印実行設定部５９−１において、実行済印を書き込む設定になっているか否かが判断される（ステップ８２）。
判断の結果、設定になっているときは、押印位置特定部５９−２において、押印位置が記憶手段７０から取り出されて特定される（ステップ８３）。
また、印文特定部５９−３において、実行済印のデザインが特定される（ステップ８４）。ここで、書込制御部５９が機能対応部５９−５を有しているときは、この機能対応部５９−４において、実行された機能に対応する実行済印のデザインが特定される。
【０１０７】
そして、押印制御部５９−４において、押印位置特定部５９−２で特定された押印位置、印文特定部５９−３で特定された実行済印のデザインにもとづいて、書込ヘッド２８に実行済印を電子ペーパＥＰに書き込ませる（ステップ８５）。電子ペーパＥＰは、その後、第二の搬送路２２を通過して、排出口２２−３から排出される。
なお、ステップ８２の判断で、設定されていないとされたときは、実行済印は電子ペーパＥＰには付されない。
【０１０８】
以上、説明したように、用紙が電子ペーパであっても、この電子ペーパの記載内容について所定の機能が実行されると、この実行が終了したことを示す実行済印を付すことができる。
このため、電子ペーパの記載内容について所定の機能が実行されたか否かを視覚的かつ明確に判断できる。
【０１０９】
なお、以上の各実施形態におけるノート型パソコンは、プログラムに制御されたコンピュータにより実行することができる。プログラムは、例えば、記録媒体により提供される。記録媒体としては、たとえば、磁気ディスク，光ディスク，半導体メモリ，その他コンピュータで読み取り可能な任意の手段を使用することができる。
また、記録媒体に記録されたプログラムは、記録媒体を直接コンピュータに装着して当該コンピュータに読み込ませることができ、また、通信回線を介してコンピュータに読み込ませるようにしても良い。
【０１１０】
以上、本発明のノート型パソコン、このノート型パソコンにおける実行済印押印方法及び実行済印押印プログラムの好ましい実施形態について説明したが、本発明に係るノート型パソコン、このノート型パソコンにおける実行済印押印方法及び実行済印押印プログラムは上述した実施形態にのみ限定されるものではなく、本発明の範囲で種々の変更実施が可能であることは言うまでもない。
例えば、上述した第五実施形態では、消去ヘッド１８の設置位置は、第一の搬送路としたが、第一の搬送路にかぎるものではなく、第二の搬送路としてもよい。また、書込ヘッド２８は、第二の搬送路に設けなくても、第一の搬送路に設けてもよい。また、書込ヘッド２８を消去ヘッド１８と機能させることもできる場合もあるため、書き込み時に電子ペーパＥＰを消去することもできるときには、消去ヘッド１８を設けなくてもよい。また、普通紙専用の印字ヘッド２４は設けなくてもよく、電子ペーパＥＰ書込み専用のノート型パソコン１であってもよい。
【０１１１】
また、上述した第五実施形態では、モノクロの電子ペーパについて説明したが、電子ペーパはモノクロに限るものではなく、カラーの電子ペーパを用いることもできる。カラーの電子ペーパに関しては、特開２０００−０３５５９８号公報「表示パネル」などに開示されている。また、カラーの電子ペーパへの印刷機構に関しては、特開２０００−１２７４７８号公報「電子ペーパー用プリンタ」などに開示されている。これらの技術を応用して本発明を実現することも可能である。
【０１１２】
なお、本発明のノート型パソコン、このノート型パソコンにおける実行済印押印方法及び実行済印押印プログラムは、第一実施形態〜第五実施形態のそれぞれにおけるノート型パソコン、このノート型パソコンにおける実行済印押印方法及び実行済印押印プログラムを任意に組み合わせたものであってもよい。
【産業上の利用可能性】
【０１１３】
本発明は、筐体内部に取り込んだ用紙から記載内容を読み込んで、この記載内容について所定の機能を実行し、この機能の実行の終了を示すマークを付する発明であるため、用紙の取り込みや、読込データについて所定の機能を実行するノート型パソコンに利用可能である。
【図面の簡単な説明】
【０１１４】
【図１】本発明の第一実施形態におけるノート型パソコンの外観構成を示す全体斜視図である。
【図２】本発明の第一実施形態におけるノート型パソコンの内部構造を示す側面図でである。
【図３】第一及び第二の搬送路の構造を示す側面図である。
【図４】第一の搬送路の挿入口付近の構造を示す図であって、（ｉ）は、上面図、（ii）は、側面図である。
【図５】挿入口付近の他の構成を示す正面図である。
【図６】ノート型パソコンにおけるフラッパーの構造を示す外観斜視図である。
【図７】スタンプユニットの構成を示すとともに、実行済印が押印されている様子を示す側面図である。
【図８】スタンプユニットの構成を示すとともに、印章部材が用紙から離れた様子を示す側面図である。
【図９】実行済印の印影（印文）の具体例を示す図である。
【図１０】印章部材の構成を示す斜視図である。
【図１１】印影判断テーブルの構成を示す図表である。
【図１２】印章部材及び形状検知センサの構成を示す斜視図である。
【図１３】第一実施形態における制御手段の構成を示すブロック図である。
【図１４】機能実行部の構成を示すブロック図である。
【図１５】メール制御部の構成を示すブロック図である。
【図１６】第一実施形態におけるノート型パソコンの動作手順を示すフローチャートである。
【図１７】実行済印が押印された用紙の状態を示す正面図である。
【図１８】第二実施形態におけるスタンプユニットの構成を示す上面図である。
【図１９】実行済印選択画面の構成を示す正面図である。
【図２０】第二実施形態におけるスタンプ制御部の構成を示すブロック図である。
【図２１】第二実施形態におけるノート型パソコンの動作手順を示すフローチャートである。
【図２２】第二実施形態におけるノート型パソコンの他の動作手順を示すフローチャートである。
【図２３】機能−実行済印対応選択画面の構成を示す正面図である。
【図２４】第三実施形態におけるスタンプ制御部の構成を示すブロック図である。
【図２５】機能−実行済印対応テーブルの構成を示す図表である。
【図２６】第三実施形態におけるノート型パソコンの動作手順を示すフローチャートである。
【図２７】第三実施形態におけるノート型パソコンの他の動作手順を示すフローチャートである。
【図２８】第四実施形態におけるスタンプユニットの構成を示す上面図である。
【図２９】図２８に示すスタンプユニットの構成において実行済印が付されたときの用紙の状態を示す正面図である。
【図３０】押印位置選択画面の構成を示す正面図である。
【図３１】第四実施形態におけるスタンプ制御部の構成を示すブロック図である。
【図３２】第四実施形態におけるノート型パソコンの動作手順を示すフローチャートである。
【図３３】第四実施形態におけるノート型パソコンの他の動作手順を示すフローチャートである。
【図３４】第五実施形態におけるノート型パソコンの内部構造を示す側面図でである。
【図３５】消去ヘッドと、消去ヘッドを構成する電極に挟持された電子ペーパの概略断面図である。
【図３６】書込ヘッドと、書込ヘッドを構成する記録ヘッドと搬送ローラに挟持された電子ペーパの概略断面図である。
【図３７】第五実施形態における制御手段の構成を示すブロック図である。
【図３８】第五実施形態における書込制御部の構成を示すブロック図である。
【図３９】第五実施形態におけるノート型パソコンの動作手順を示すフローチャートである。
【符号の説明】
【０１１５】
１ａ〜１ｅ  ノート型パソコン
１０ａ〜１０ｅ  可動筐体部（第一の筐体部）
１１  表示部
１２  第一の搬送路
１２−３  挿入口
１５  読取センサ
２０ａ〜２０ｅ  固定筐体部（第二の筐体部）
２１  キーボード
２２  第二の搬送路
２４  印字ヘッド
４０ａ〜４０ｄ  スタンプユニット（物理スタンプ）
４１ａ〜４１ｄ  駆動手段
４２ａ〜４２ｄ  駆動伝達部材
４３ａ〜４３ｄ  印章支持部材
４４ａ〜４４ｄ  印章部材
４４ａ−１〜４４ｄ−１  印面部
４４ａ−２〜４４ｄ−２  嵌合部
４４ａ−３〜４４ｄ−３  印影識別形状部
４５ａ〜４５ｄ  形状検知センサ
５０ａ〜５０ｅ  制御手段
５６  機能実行部
５７ａ〜５７ｄ  スタンプ制御部
５７ａ−１〜５７ｄ−１、５９−３  印文特定部
５７ａ−１、５７ｂ−２〜５７ｄ−２、５９−１  押印実行設定部
５７ｄ−３、５９−２  押印位置特定部
５７ｂ−３、５７ｃ−３、５７ｄ−４  スタンプ選択部
５７ｂ−４、５７ｃ−４、５７ｄ−５、５９−４  押印制御部
５７ｃ−４  機能対応部
５９  書込制御部（スタンプ制御部）
７０  記憶手段
【図１】
2008252165.tif 000003
【図２】
2008252165.tif 000004
【図３】
2008252165.tif 000005
【図４】
2008252165.tif 000006
【図５】
2008252165.tif 000007
【図６】
2008252165.tif 000008
【図７】
2008252165.tif 000009
【図８】
2008252165.tif 000010
【図９】
2008252165.tif 000011
【図１０】
2008252165.tif 000012
【図１１】
2008252165.tif 000013
【図１２】
2008252165.tif 000014
【図１３】
2008252165.tif 000015
【図１４】
2008252165.tif 000016
【図１５】
2008252165.tif 000017
【図１６】
2008252165.tif 000018
【図１７】
2008252165.tif 000019
【図１８】
2008252165.tif 000020
【図１９】
2008252165.tif 000021
【図２０】
2008252165.tif 000022
【図２１】
2008252165.tif 000023
【図２２】
2008252165.tif 000024
【図２３】
2008252165.tif 000025
【図２４】
2008252165.tif 000026
【図２５】
2008252165.tif 000027
【図２６】
2008252165.tif 000028
【図２７】
2008252165.tif 000029
【図２８】
2008252165.tif 000030
【図２９】
2008252165.tif 000031
【図３０】
2008252165.tif 000032
【図３１】
2008252165.tif 000033
【図３２】
2008252165.tif 000034
【図３３】
2008252165.tif 000035
【図３４】
2008252165.tif 000036
【図３５】
2008252165.tif 000037
【図３６】
2008252165.tif 000038
【図３７】
2008252165.tif 000039
【図３８】
2008252165.tif 000040
【図３９】
2008252165.tif 000041